(57)【要約】【課題】噴霧する水を細粒化された酸化還元水を使用し、雑菌の繁殖を防止し、その水を更に細粒化した状態で噴霧を好適に行うことのできる装置を提供することを目的とする。【解決手段】噴霧器に使用される細粒化された酸化還元水の製造材として備長炭・ドラバイト・トルマリン・牡蠣殻・サンゴ等を噴霧器内に充填させ、細粒化された酸化還元水が噴霧装置内を通過する時の圧力差により、噴霧板から噴霧する際に更に細粒化を生じさせる事を特徴とする酸化還元水の製造材と噴霧装置。【選択図】図１
0003110847.tif 000002
【実用新案登録請求の範囲】
【請求項１】
細粒化水は、人間・動植物等の皮膚並び粘膜の表面に噴霧することにより、ウイルスや細菌を破壊・殺菌・抗菌・除菌・脱臭等の効果があり、浸透性・吸収性・保水性等を高め、細胞を活性化し、熱エネルギー・太陽光線・熱射の緩和等により、皮膚や粘膜の炎症を防止することを特徴とする、細粒化された酸化還元水の製造材。
【請求項２】
請求項１で製造され、細粒化された酸化還元水を使用した噴霧装置。
【考案の詳細な説明】
【技術分野】
【０００１】  本考案は、水道水等を霧吹き或いは噴霧する際に使用される、細粒化された酸化還元水の製造材およびその製造材を充填した噴霧装置に関する。
【背景技術】
【０００２】  従来、花の水やりやアイロンがけに霧吹きを使用している。例えば、水に管を挿し、水に挿していない他方の管口に別の管の管口を置いていきおいよく吹き、水を霧状にする。別の方法として、レバーを握るとピストンを押し上げシリンダー内の圧力が上がり噴射板より噴射する。
しかしながら、これらの霧吹き等は霧吹きの粒子が大きかったり、霧吹きの粒子が均一に噴霧されず、吹き付けにむらができるという欠点があった。【０００３】  このような欠点を解消する方法として、水の入れた容器に圧力をかけ、噴射板を開くと水が噴射する方法や、噴射板にＳ字形溝を作り噴霧する等の方法があるが、初めは細かい粒子で水を霧状にするが、後になると圧力が下がり、初めの効果がなくなり、水の粒が大きくなるという欠点があった。【０００４】  別な方法として、水道水等を使う代わりに水道水中の塩素やトリハロメタン等を取り除いた水を使用して霧吹きを行うと均一な霧状にでき、微妙な霧吹きを必要とする植物の水やりや、アイロンがけに使用すると均一な霧吹きができ、仕上がりが良いという所期の目的を達成することができるが、水の日持ちがしないという欠点があった。
また市販の水で、皮膚に吹きつけてにきびやアトピー等の治療に使用されるものがあるが、雑菌の繁殖防止のため一度霧吹きの容器に移した後は使い切らなければならず、好ましくなかった。
【考案の開示】
【考案が解決しようとする課題】
【０００５】  そこで、本考案者は、噴霧する水を細粒化された好適な酸化還元電位の水（以下酸化還元水と称する）を使用し、雑菌の繁殖を防止することのできる製造材について種々検討を重ねた結果本考案を完成するに至った。
【課題を解決するための手段】
【０００６】  すなわち、本考案は、噴霧器に使用される細粒化された酸化還元水の製造材として備長炭・ドラバイト・トルマリン・カーボンナノシート・牡蠣殻・サンゴ等を噴霧器内に充填させ、細粒化された酸化還元水が噴霧装置内を通過する時の圧力差により、噴霧口から噴霧する際に更に細粒化を生じさせる事を特徴とする酸化還元水の製造材と噴霧装置である。
【考案の効果】
【０００７】  本考案によれば、使用する水の酸化還元電位の高い水道水の場合でも、好適に細粒化された酸化還元水の製造材および噴霧装置で、保水性のある水を作り、噴霧することができる。【０００８】  また、本考案の酸化還元水の製造材は、備長炭・ドラバイト・トルマリン・カーボンナノシート等の電磁波により水分子を細粒化（クラスター）する。このことは水の電気・化学的な細粒化であると同時に、牡蠣殻・サンゴ等を充填させることで遅溶解性炭酸カルシウム等のミネラル分を溶出させ、酸化還元電位の中庸を図りマイナスイオンの多いミネラル分を含んだ酸化還元水を作ることができる。
なお、酸化還元電位の中庸とは、酸化還元電位が＋１５０ｍＶから＋２５０ｍＶ程度をいう。【０００９】  本考案に使用する牡蠣殻・サンゴ等は生命体から生産された天然の遅溶解性炭酸カルシウム等のミネラル分を含んでいる。【００１０】  水を細粒化された酸化還元水を作る方法としては、電気分解・放電・超音波・高周波・低周波・高音波・超高速撹拌・高圧力・電流・カーボンナノシート・多孔管等を使うことが知られているが、本考案に使用するドラバイト・トルマリン・備長炭・カーボンナノシートがもつ電荷が水を振動させ水分子を細粒化する働きを有する。
その中でも、トルマリン・ドラバイトは電気をもった天然石で、多面体極性結晶体と呼ばれ０．０６ｍＡの永久電極を持っているもので、鉄分の含有量の多いものをトルマリンといい、マグネシウムの含有量の多いものをドラバイトという。水中でトルマリンあるいはドラバイトを使用することで、電流が速く流れ、電磁波が起こり、波動エネルギーで水の分子を細粒化する。細粒化された水は肌から水分を吸収しやすくする。
本考案に使用するドラバイトはドラバイト鉱石を２μｍ程度の粉体にし、カオリンと混ぜて１２５０℃の中で蒸し焼き（還元焼成）にしたもので、ドラバイトを組成する各酸化物の酸素を焼却し、各元素そのものの結晶体になり、電気エネルギー効果をアップさせたものであり最も良い。
ドラバイト・トルマリン・備長炭・カーボンナノシートは水中で活性水素を生み出す働きを持っている。その中でもドラバイトは特に良い。活性水素の豊富な水を飲めば体内で水素と酸素が合体して、汗・小便で体外に出して体に有害な活性酸素が減少する。
酸化還元水は、水分子を細粒化させ水素イオン濃度の高い水を示し、ドラバイト・トルマリン・備長炭・カーボンナノシートはその働きが優れている。【００１１】  細粒化された酸化還元水を効果的に使用するためには、噴霧装置で噴霧するとよい。【００１２】  本考案の噴霧装置は、吸い込み口にストレーナーを設け、給水管内にスプリングを装着し、噴霧板は渦巻状の溝を有する構造からなっており、噴霧板から噴霧されるときに、確実に活性水としてフリーラジカルされた多機能効果が得られた水を噴霧することができる。ストレーナーには、多孔材を使用しても良い。【００１３】  更に、噴霧装置には、加圧方法としてガス加圧、空気加圧、コンプレッサー等による加圧が挙げられる。【００１４】  本考案の細粒化された酸化還元水の製造材を使用し、加圧噴霧装置から噴霧された水は美容・健康・薬効・医療等において皮膚並び粘膜の表面等の早期浸透性に優れ、保水効果を持続させる。料理や飲料・沐浴・洗顔等の日常生活において使用される水は、生命体の持続に不可欠である。又、継続的に使用することは上記の全てに有効に働く根本原理である。
その水の効果的使用は如何に生命体に採り込みやすい細流化されたものにするかである。
【考案を実施するための最良の形態】
【００１５】  次に本考案について細粒化された酸化還元水の製造材を噴霧装置に充填した例をあげて説明するが、本考案は、以下の説明のみに限定されるものではない。【００１６】  図１は、製造方法を示した噴霧装置の概略図である。
噴霧装置は噴霧部１と容器２から成り、容器２に本考案の製造材１３がリボン状不織布１４に内包されて、容器２に充填されている。製造材１３をリボン状不織布１４に内包させることで、投入口１５の小さな噴霧器にもいれることができる。
なお、製造材１３をリボン状不織布１４に内包するほかの形態として、ティーパック状の形をした不織布に内包するか、直接容器に直接充填して使用することもできる。
また、容器２の形状は他に屈曲して凹凸のある手に取って使い易い形が好ましい。更に噴霧部１と容器２の取り付け角度は限定されるものではないが、直角、鋭角、鈍角とあるが、鋭角のものがより使い易い。
次に噴霧部１について説明する。給水管３の吸い込み口にストレーナー４を設け、レバー５を握るとシリンダー６が移動しながらシリンダー６内の気圧を上げ噴射板７より噴射される。レバー５を放すとスプリング８が伸びてレバー５を押し戻し、シリンダー６が元の位置に戻る際にシリンダー６内の気圧が下がり、給水管３から水を吸い上げる。シリンダー６と噴射板７の間には弁９と弁用スプリング１０があり、シリンダー６内の気圧を下げるときにシリンダー口１１をふさぐ。給水管３の途中に球１２があり、一方向のみ水が流れるようになっている。【００１７】  図２は図１のＡ−Ａ断面でストレーナー４を上から見て拡大した図である。
ストレーナー４は多孔材を使用して、給水時に水を細粒化する。ストレーナー４を通過した水は、給水管３の側面に給水管３の内径より小さな穴１６があり、穴１６は給水管３の接線方向に設ける。穴１６を通った水は給水管３内を螺旋状に回転しながら流れ、吸い上げる。水が回転することで衝突を繰り返し、通過した水を細粒化する。さらに、給水管３内にスプリングを挿入しても水を細粒化する働きを有している。スプリングの他の形態として、給水管３内に螺旋状の溝または凸部を設けても良い。【００１８】  図３は、ストレーナーを横から見て拡大して断面を示した図である。ストレーナー４に多孔材を使用する他に区画された穴１７を設けたもので、水は区画された穴１７を通り、穴１８から給水管３へ流れる。区画された穴１７は水分子を細粒化する働きをする他に、水の中の固形物を取り除くフィルターの働きを有し、給水管３やシリンダー口１１に固形物を詰まらせない働きをする。
図４は図３のＢ−Ｂ断面でストレーナー４を上から見て拡大した図である。区画された穴１７は複数有り、固形物等による目詰まり緩和する働きを有し、取り外して掃除することが出来る。【００１８】  図５は、シリンダー６を拡大して表したもので、シリンダー６の内壁に螺旋状の溝１９を設け、通過する水に回転エネルギーを持たせて、水を細粒化する。溝のほかの形状として凸部を設けても良い。螺旋状の溝１９または凸部を設けるほかの形態としてはスプリングを挿入しても良い。【００１９】  給水管３内を流れる水の回転方向とシリンダー６内を流れる水の回転方向を反対にするようにそれぞれの螺旋の回転方向をかえることが望ましく、水をより多く衝突させることができ、より水を細粒化することができる。【００２０】  図６は、噴射板７を拡大して表したもので、外周近傍に２つの穴２０があり、シリンダー６から送り出された水が通るところである。穴２０から渦を作るように溝２１が中心に向かって掘られている。水が溝２１を通りキャップ穴２２から放出され、噴霧する。水が溝２１を通り渦回転することで水を細粒化し、キャップ穴２２から放出されるときに、細粒化された均一な霧を噴射する。【００２１】  本考案の噴霧装置としては、ストレーナー４および噴射板７またはキャップ穴２２に超音波振動装置を設けると、好適に細粒化された霧を作る。また、別の方法として、容器２を加圧すれば、容器２の水が衝突し合い細粒化を促進すると共に、容器２内と噴射板７との圧力差が大きくなり、更に好適な細粒化された霧を作る事が出来る。【００２２】  本考案の製造材によって細粒化された酸化還元水を噴霧すれば、野菜・生花等の鮮度保持、調理水として使用・洗顔水・美容水・手洗い水・抗菌水等、日光浴・海水浴時の日焼け炎症防止等の多様な用途がある。【００２３】  水道水を用いても溶出している塩素やトリハロメタン等を取り除いた水にすると共に、ミネラル分の多く含み、常に酸化還元電位の中庸を図り、鮮度の保たれた細粒化水を得ることが出来る。
【図面の簡単な説明】
【００２４】
【図１】  本考案の細粒化された酸化還元水の製造材を入れた噴霧装置の断面図
【図２】  本考案の噴霧装置のストレーナーを上から見る拡大された断面図
【図３】  本考案の噴霧装置のストレーナーを横から見て拡大して断面を示した図
【図４】  本考案の噴霧装置のストレーナーを上から見て拡大された断面図
【図５】  本考案の噴霧装置のシリンダーの断面図
【図６】  本考案の噴霧装置の噴射板の平面図
【符号の説明】
【００２５】  １・・・・噴霧部
２・・・・容器
４・・・・ストレーナー
６・・・・シリンダー
７・・・・噴射板
１３・・・・細粒化された酸化還元水の製造材
１４・・・・細粒化された酸化還元水の製造材を入れたリボン状の不織布
【図１】
0003110847.tif 000003
【図２】
0003110847.tif 000004
【図３】
0003110847.tif 000005
【図４】
0003110847.tif 000006
【図５】
0003110847.tif 000007
【図６】
0003110847.tif 000008
【手続補正書】
【提出日】平成16年11月9日(2004.11.9)
【手続補正１】
【補正対象書類名】実用新案登録請求の範囲
【補正対象項目名】全文
【補正方法】変更
【補正の内容】
【実用新案登録請求の範囲】
【請求項１】
先端部に噴霧部を設けた給水管と容器からなる噴霧装置において、容器内に製造材を入れ、給水管の吸い込み口に、多孔材あるいは区画された穴をもうけたストレーナーを設け、かつ前記噴霧部内のシリンダーの内壁に螺旋状の溝を設けたことを特徴とする噴霧装置。